(57)【要約】【課題】盤面に垂直な母線バーを有するプラグイン式の分電盤において、種類の異なるブレーカを混在させても安価に接続できる分電盤を提供する。【解決手段】盤面４に垂直な母線バー２の上方から、プラグイン式のアダプタ６を差込み、その上面に分岐母線バー１５などからなる分岐回路部を構成する。アダプタ６はケース７と、交換可能な接続バー８とからなるものとする。分岐母線バー１５のレイアウトは自由であり、主母線バー２と平行としても垂直としてもよい。また分岐母線バー１５の一部がアダプタ６から外側に延びるようにしてもよい。【選択図】    図１
2004312865.tif 000002
【特許請求の範囲】
【請求項１】
主母線バーを盤面に対し垂直に設置したプラグイン式の分電盤において、盤面の上方より接続可能なプラグイン式のアダプタを介して分岐回路部を形成したことを特徴とするプラグイン式分電盤。
【請求項２】
主母線バーの上方に分岐回路部を配置した請求項１に記載のプラグイン式分電盤。
【請求項３】
分岐回路部は、アダプタの上面に主母線バーに対し直交する方向に設けた分岐母線バーと、該分岐母線バーに接続したブレーカとからなることを特徴とする請求項１または２に記載のプラグイン式分電盤。
【請求項４】
分岐回路部は、アダプタの上面に主母線バーに対し平行に設けた分岐母線バーと、該分岐母線バーに接続したブレーカとからなることを特徴とする請求項１または２に記載のプラグイン式分電盤。
【請求項５】
アダプタがケースと接続バーとからなり、この接続バーを交換可能なものとした請求項１〜４のいずれかに記載のプラグイン式分電盤。
【発明の詳細な説明】
【０００１】
【発明の属する技術分野】
本発明は、盤面に対して主母線バーを垂直に設置したプラグイン式分電盤に関するものである。
【０００２】
【従来の技術】
【特許文献１】特開平５−３０８７０５号公報
【０００３】
盤面に対して主母線バーを垂直に設置したプラグイン式分電盤においては、特許文献１に示すように、分岐ブレーカは盤面の上方から母線バー差し込んで接続される接続端子を裏面に備えたアダプタを介して母線バーに接続される場合がある。このようなアダプタはブレーカの筐体の大きさや端子位置に適合するものを専用に設けておくことが普通である。
【０００４】
しかし、消費電流の大きな負荷は容量の大きな大型のブレーカに接続し、消費電流が小さな負荷は容量の小さな小型のブレーカに接続する必要がある。前記したような分電盤内では母線バー上に前記アダプタを介して大型のブレーカと小型のブレーカとを混在させて接続しようとすると、ブレーカの筐体の大きさや端子位置が若干違う程度のものであれば取付位置等を調整することによりアダプタを兼用することも可能な場合もあるが、容量の大きな大型のブレーカと容量の小さな小型のブレーカでは大きさ及び端子位置が大きく異なるものであり、ブレーカごとに専用のアダプタを用意しなくてはならず、接続コストがかかるという問題があった。
【０００５】
【発明が解決しようとする課題】
本発明は上記した従来例の問題点を解決して、盤面に垂直な母線バーを有するプラグイン式の分電盤において、種類の異なるブレーカを混在させても安価に接続できる分電盤を提供しようとするものである。
【０００６】
【課題を解決するための手段】
上記の課題を解決するためになされた本発明は、主母線バーを盤面に対し垂直に設置したプラグイン式の分電盤において、盤面の上方より接続可能なプラグイン式のアダプタを介して分岐回路部を形成したことを特徴とするものである。なお、主母線バーの上方に分岐回路部を配置した構造とすることができ、分岐回路部は、アダプタの上面に主母線バーに対し直交する方向に設けた分岐母線バーと、該分岐母線バーに接続したブレーカとからなるものとしたり、アダプタの上面に主母線バーに対し平行に設けた分岐母線バーと、該分岐母線バーに接続したブレーカとからなるものとすることができる。さらに、アダプタがケースと接続バーとからなり、この接続バーを交換可能なものとすることができる。
【０００７】
本発明は、主母線バーを盤面に対し垂直に設置したプラグイン式の分電盤において、盤面の上方より接続可能なプラグイン式のアダプタを介して分岐回路部を形成したものであり、分電盤内に種類の異なるブレーカを安価に接続できる分電盤を提供するものである。
【０００８】
【発明の実施の形態】
以下に、本発明の好ましい実施の形態を示す。
図１〜図９において、１は分電盤の主幹ブレーカ、２は主幹ブレーカ１の負荷側に接続母線３を介して接続された３本の主母線バーである。これらの主母線バー２は、盤面４に対して垂直に設置されている。５は主母線バー２の両側に設置されたアダプタ固定用レールである。本発明ではプラグイン式のアダプタ６が盤面の上方よりこれらの主母線バー２に取り付けられる。さらに、ブレーカ１４がアダプタ６を介して主母線バー２に取り付けられている。
【０００９】
アダプタ６は、図２〜図５に示されるようにケース７と３本の接続バー８とからなるものである。図２の手前側の部分には、ケース７を省略して接続バー８のみが宙に浮いた状態で図示されている。各接続バー８は盤面４に平行な脚板９と上部の端子部１０とを垂直部１１を介して連結したもので、脚板９の下面には主母線バー２への差込みプラグ１２が１個ずつ設けられている。差込みプラグ１２は異なる主母線バー２にそれぞれ差し込めるように位置を変えてある。
【００１０】
端子部１０はケース７の上面から所定距離の高さでケース７の上面に対して平行になっている。図２に示すように、端子部１０の形状はＵ字状、ネジ孔付きなどのネジ端子に対応する形状としても、プラグイン端子に対応する平板状としてもよい。このような接続バー８を備えたアダプタ６は、図２、図５に示すように主母線バー２に取り付けられる。なおアダプタ６の上面にはブレーカの固定手段１３が設けられている。固定手段１３はネジ孔とするほか、適宜の取付金具としてもよい。またケース７の両端にはアダプタ固定レール５に取り付けるための取付孔２１が設けられている。
【００１１】
図１に示す第１の実施形態では、主母線バー２に接続されるアダプタ６の上面に４個の大容量のブレーカ１４が搭載されている。このブレーカ１４はネジ端子を備えたもので、接続バー８の端子部１０がネジ止めされている。また図１の下部に示すように、アダプタ６の上面に搭載された大容量のブレーカ１４の負荷側端子に３本の平行な分岐母線バー１５を接続し、この分岐母線バー１５に小型のブレーカ１６を接続して分岐回路部を形成している。この分岐母線バー１５のうち外側２本の分岐母線バー１５ａ，１５ｃをブレーカ１４の負荷側端子と略同一高さとし、中央の分岐母線バー１５ｂはその端部を折曲形成することにより、他の２本の分岐母線バー１５ａ，１５ｃに比べケース７の上面に対して高い位置に配置されている。
【００１２】
この実施形態では、分岐母線バー１５はアダプタ６に接続されたブレーカ１４の負荷端子に接続され、その側方から複数の小型のブレーカ１６がリード線や分岐リードバーにより接続されている。これらの小型のブレーカ１６は支持プレート１７上に配置し、ブレーカ１４とハンドルが同一高さになるようにしておくことが好ましい。この実施形態では、分岐回路部を構成する分岐母線バー１５のうち外側２本の分岐母線バー１５ａ，１５ｃをブレーカ１４の負荷側端子と略同一の高さとすることにより、分岐母線バー１５とブレーカ１４の負荷側端子との接続部分を単純な形状とすることができる。なお、前記分岐回路部は分岐母線バーを上下に積層したものとし、小型のブレーカをこれに対応するプラグインブレーカで構成してもよい。
【００１３】
しかし図７に示す第２の実施形態では、アダプタ６の上面の端子接続部１９に直接分岐母線バー１８が接続配置されている。この分岐母線バー１８は主母線バー２と直交する横方向に延び、その側面に複数の小型のブレーカ１６が接続されている。すなわち、アダプタ６の端子接続部１９は中央の端子接続部１９ｂを外側の端子接続部１９ａ，１９ｃよりもケース７の上面に対して高い位置に設けたうえ、一方の外側の端子接続部を他方の端子接続部１９ａに向けて湾曲形成したものである。この端子接続部１９に分岐母線バー１８を接続し、さらに分岐母線バー１８に小型のブレーカ１６をリード線または分岐リードバーにより接続し分岐回路部を構成している。また、分岐母線バー１８の端子接続部１９に接続されていない側の端部は、ケース７上面に取り付けた母線支持具（図示せず）によって支えられている。
【００１４】
２２は分岐ブレーカ１４を必要としない主母線バー上に設置するブラインドであり、ブラインド２２はアダプタ６とのケース７と同様に両端部にアダプタ固定レール５への取付孔２３を設けたものであるが、その幅はアダプタ６のケース７の略半分としたものである。なお、ブラインド２２はアダプタ６から接続バー８を取り除きケース７を利用したものであってもよい。また、アダプタ６とブラインド１９の間には支持プレート２４が取り付けられており、この上に小型のブレーカ１６が取り付けられている。
【００１５】
この実施形態ではアダプタ６を介して分岐回路部を主母線バー２の上方に設けたことにより、分電盤の幅を小さくできるうえ、分岐回路部を構成する分岐母線バー１８を主母線バー２と直交する方向に設けたので、小型のブレーカ１６の負荷への配線を分電盤の下方向から配線を引き出すことが容易となる。なお、前記分岐回路部は分岐母線バーを上下に積層し、小型のブレーカをそれに対応するプラグインブレーカで構成してもよい。
【００１６】
図８に示す第３の実施形態でも、アダプタ６の上面の端子接続部２５に直接分岐母線バー２６が接続配置されているが、この分岐母線バー１８は主母線バー２と平行に延びている。アダプタ６の端子接続部２５ａ，２５ｂ，２５ｃは所定距離の高さでケース７の上面に平行になっていると共に、分岐母線バーが配置される方向に従って端子接続部２５ａ，２５ｂ，２５ｃの長さが順に短くなるように設けられている。図示した例では端子接続部２５ａが一番長く、端子接続部２５ｃが一番短い。さらに端子接続部２５ｂに接続されている分岐母線バー２６ｂの端部は折曲されており、分岐母線バー２６ｂは他の２本の分岐母線バー２６ａ、２６ｃに比べ高い位置に配置されている。
【００１７】
また、分岐母線バー２６の端子接続部に接続されていない側の端部は、ブラインド２２に取り付けた母線支持具（図示せず）によって支えられている。アダプタ６とブラインド２２の間には支持プレート２７が取り付けられており、この上に小型のブレーカ１６が取り付けられている。このように設けられた分岐母線バーと小型のブレーカ１６とをリード線や分岐リードバーにより接続し分岐回路部を構成することは実施形態２と同様である。
【００１８】
この実施形態では、アダプタ６を介して分岐回路部を主母線バー２の上方に設けたことにより、分電盤の幅を小さくできる上、分岐回路部を構成する分岐母線バー１８を主母線バー２と平行に設けたので、小型のブレーカ１６の負荷への配線を他の大型のブレーカ１４と同様に分電盤の側方から配線を引き出すことが容易となる。なお、前記分岐回路部は分岐母線バーを上下に積層し、小型のブレーカをそれに対応するプラグインブレーカで構成してもよい。
【００１９】
図９に示す第４の実施形態では、アダプタ６の上面に端子接続部１０に接続された端子台２８が搭載され、この端子台２８に複数の小型のブレーカ１６がリード線２０に接続されている。この場合には端子台２８と小型のブレーカ１６が分岐回路部となり、１つのアダプタ６の上面に複数のブレーカ１６を搭載したものであるので、アダプタ６の１つ分の大きさで分岐回路部を設けることができ、母線バー２上でのアダプタ６の取り付けスペースを有効に使用することができる。なお、この実施形態では端子台２８を設けずに複数のブレーカ１６をアダプタ６の端子接続部に直接接続したものとしてもよい。
【００２０】
アダプタ６の３本の接続バー８はケース７に対して着脱自在としておき、その組み込み位置を変更することにより電源の相バランスを調整できるようにしておくことが好ましい。また前記したように、接続バー８を取り外したケース７をブラインドとして兼用できるようにしておくことが好ましい。
【００２１】
【発明の効果】
以上に説明したように、本発明のプラグイン式分電盤によれば、盤面に対して垂直に設置した主母線バーに対して、プラグイン式のアダプタを介して分岐回路部を設けたものであり、種類の異なるブレーカを安価に接続できる利点がある。また各実施形態に示すように分岐回路部のレイアウトには自由度があり、相バランスの調整も容易であるなどの多くの利点がある。
【図面の簡単な説明】
【図１】第１の実施形態を示す分電盤の正面図（Ａ）と、底面図（Ｂ）である。
【図２】アダプタと接続バーの斜視図である。
【図３】アダプタの斜視図である。
【図４】アダプタの底面斜視図である。
【図５】アダプタの主母線バーへの取付状態を示す部分断面図である。
【図６】アダプタの主母線バーへの取付状態を示す斜視図である。
【図７】第２の実施形態を示す分電盤の正面図である。
【図８】第３の実施形態を示す分電盤の正面図である。
【図９】第４の実施形態を示す分電盤の正面図である。
【符号の説明】
１  主幹ブレーカ
２  主母線バー
３  接続金具
４  盤面
５  アダプタ固定レール
６  アダプタ
７  ケース
８  接続バー
９  脚板
１０  接続部
１１  垂直部
１２  差込みプラグ
１３  固定手段
１４  大容量のブレーカ
１５  分岐母線バー
１６  小型のブレーカ
１７  支持プレート
１８  分岐母線バー
１９  端子接続部
２０  リード線
２１  取付孔
２２  ブラインド
２３  取付孔
２４  支持プレート
２５  端子接続部
２６  分岐母線バー
２７  支持プレート
２８  端子台
【図１】
2004312865.tif 000003
【図２】
2004312865.tif 000004
【図３】
2004312865.tif 000005
【図４】
2004312865.tif 000006
【図５】
2004312865.tif 000007
【図６】
2004312865.tif 000008
【図７】
2004312865.tif 000009
【図８】
2004312865.tif 000010
【図９】
2004312865.tif 000011